Podtech/llm-jp-corpus-v4-ja_patent huggingface dataset:
(57)【要約】【課題】  ほこり等の細かいゴミを良好に振るい落すことのできるヘアキャッチャーを提供する。【解決手段】  排水中のゴミを捕集するとともに排水を通過させる孔を有する本体６と、この本体６の網状ストレーナ面６ｂの下面に当接して回転可能な摺動部材７で構成され、摺動部材７の上面には凹凸面が形成されている。【選択図】  図３
2007046423.tif 000002
【特許請求の範囲】
【請求項１】
排水中のゴミを捕集するとともに排水を通過させる孔を有する本体と、該本体に当接して移動可能な摺動部材で構成され、前記本体または前記摺動部材のどちらかの摺動面に凹凸が形成されていることを特徴とするヘアキャッチャー。
【発明の詳細な説明】
【技術分野】
【０００１】
本発明は、浴室の排水口に設けられるヘアキャッチャーに関するものである。
【背景技術】
【０００２】
従来、特許文献１に開示されているように、排水栓のゴミ捕集用目皿に、髪の毛等を切断して除去するために、回転するカッター刃を設けたものが存在する。
【特許文献１】特開平１０−１２１５３８号公報
【発明の開示】
【発明が解決しようとする課題】
【０００３】
従来の構造では、髪の毛等を切断して除去する構成であり、ほこり等の細かいゴミは除去することができず、手で直接摘んで除去しなければならず、不快な作業を伴うという問題点があった。
【課題を解決するための手段】
【０００４】
本発明は上記従来の問題点に鑑み案出したものであって、ほこり等の細かいゴミを良好に除去することのできるヘアキャッチャーを提供するものであり、その請求項１は、排水中のゴミを捕集するとともに排水を通過させる孔を有する本体と、該本体に当接して移動可能な摺動部材で構成され、前記本体または前記摺動部材のどちらかの摺動面に凹凸が形成されていることである。
【発明の効果】
【０００５】
本発明のヘアキャッチャーは、排水中のゴミを捕集するとともに排水を通過させる孔を有する本体と、該本体に当接して移動可能な摺動部材で構成され、前記本体または前記摺動部材のどちらかの摺動面に凹凸が形成されていることにより、摺動部材を移動させて本体を擦りながら振動させることができ、本体に捕集されているほこり等の細かいゴミを良好に振るい落とすことができるものとなる。
【実施例】
【０００６】
以下、本発明の実施例を図面に基づいて説明する。
図１は、浴室の斜視構成図であり、浴室１内には浴槽２と洗い場３が設けられ、この洗い場３の浴槽２側には凹み状に排水口４が形成されており、この排水口４内にヘアキャッチャー５が着脱可能に取り付けられている。
【０００７】
ヘアキャッチャー５は、図２の正面図で、また図３の底面図で示すような構造となっており、ヘアキャッチャー５は本体６と摺動部材７で構成されて、本体６は外周リング部６ａの内側に網状ストレーナ面６ｂが形成され、この網状ストレーナ面６ｂの中央部には、上方に膨出して網状の膨出部６ｃが形成されている。
また、本体６の外周リング部６ａから外側へ突出状に取手部６ｄが形成されており、この取手部６ｄを手で握ってヘアキャッチャー５を排水口４から取り外すことができるように構成されている。
本体６の膨出部６ｃの上端から軸８が垂設されており、この軸８に回転可能に棒状の摺動部材７が取り付けられ、この摺動部材７の上面は凹凸状の凹凸面７ａとなっており、この凹凸面７ａが本体６の網状ストレーナ面６ｂの下面に当接されて、摺動部材７が本体６に取り付けられている。
【０００８】
図３の底面図で示すように、摺動部材７は軸８を中心として矢印方向に回転させることができ、この回転により摺動部材７の上面の凹凸面７ａが本体６の網状ストレーナ面６ｂを擦りながら移動して振動を発生させ、この振動により網状ストレーナ面６ｂに捕集されているゴミや細かいほこり等を良好に振るい落とすことができる。
従って、取手部６ｄを介して本体６を摺動部材７と一体で排水口４から取り出して乾燥させ、摺動部材７を回転させることで、網状ストレーナ面６ｂに振動を与えて、ほこり等の細かいゴミを良好に振るい落として除去することができるものとなる。
【０００９】
次に、図４及び図５は、ヘアキャッチャーの第２実施例であり、図４は、図５のＡ−Ａ線断面図を示し、図５は、ヘアキャッチャーの底面図を示すものである。
本例においては、ヘアキャッチャー５の本体６は、外周リング部６ａの内側に網状ストレーナ面６ｂが全面に形成されており、この網状ストレーナ面６ｂは、図４に示すように、波状に波打った断面に形成されたものとなっている。
この網状ストレーナ面６ｂの下面には、図５に示すように、一対のレール９，９が平行状に外周リング部６ａに掛け渡し状に設けられており、この各レール９，９にはガイド長孔９ａ，９ａがそれぞれ横方向に貫通形成されている。
【００１０】
摺動部材１０の左右端側から突出された係入凸部１０ａ，１０ａをそれぞれガイド長孔９ａ，９ａ内に遊嵌させて、レール９，９間に直交状に摺動部材１０を移動可能に配設したものであり、この摺動部材１０は、波打って形成されている網状ストレーナ面６ｂの下面に当接されており、レール９，９に沿って手でスライド移動させて、往復動させることができるものである。
摺動部材１０を手で往復動させることで、摺動部材１０が波打っている網状ストレーナ面６ｂを擦りながら移動して、網状ストレーナ面６ｂを振動させることができ、この振動により網状ストレーナ面６ｂに付着しているほこり等の細かいゴミを良好に振るい落とすことができるものとなる。
【００１１】
本例においても、ヘアキャッチャー５を排水口４から取り外して乾かした後に、摺動部材１０を往復動させることで、良好にほこり等の細かいゴミを振るい落すことができるものとなる。
【図面の簡単な説明】
【００１２】
【図１】浴室の斜視構成図である。
【図２】第１実施例のヘアキャッチャーの正面構成図である。
【図３】図２の底面構成図である。
【図４】第２実施例のヘアキャッチャーを示す図５のＡ−Ａ線断面構成図である。
【図５】第２実施例のヘアキャッチャーの底面構成図である。
【符号の説明】
【００１３】
３  洗い場
４  排水口
５  ヘアキャッチャー
６  本体
６ａ  外周リング部
６ｂ  網状ストレーナ面
６ｃ  膨出部
６ｄ  取手部
７  摺動部材
７ａ  凹凸面
８  軸
９  レール
９ａ  ガイド長孔
１０  摺動部材
１０ａ  係入凸部
【図１】
2007046423.tif 000003
【図２】
2007046423.tif 000004
【図３】
2007046423.tif 000005
【図４】
2007046423.tif 000006
【図５】
2007046423.tif 000007
(57)【要約】【課題】  冬の雪国の重労働の一つに屋根に積もった雪の雪おろし作業がある。足場の悪い屋根の上での作業は重労働で、とても危険である。【解決手段】  本発明は上記課題を解決するために屋根に設置したベルトコンベアにＣ型雪止め板を取り付けて、ある程度の積雪量になると積もった雪の重みでベルトコンベアを回転させ昼夜を問わず自然に落下する様な仕組みにした自動式屋根雪おろし装置である。【選択図】図１
2007046429.tif 000002
【特許請求の範囲】
【請求項１】
屋根に積もった雪を雪自身の重みで自然に落下する様な仕組みにした自動式屋根雪おろし装置
【発明の詳細な説明】
【技術分野】
【０００１】  本発明は、屋根に積もった雪を雪自身の重みで自然に落下する様な仕組みにした自動式屋根雪おろし装置である。
【発明の開示】
【発明が解決しょうとする課題】
【０００２】  冬の雪国の重労働の一つに屋根に積もった雪を下におろす作業がある。昨今の雪国では過疎化が進み、そして高齢者が増えている。足場の悪い屋根の上での作業は若者でも骨の折れる重労働であり、とても危険であった。
【課題を解決するための手段】
【０００３】  本発明は上記課題を解決するために、屋根に設置したベルトコンベアにＣ型の雪止め板を取り付けて、ある程度の積雪量になると積もった雪の重みでベルトコンベアを回転させ、昼夜を問わず自然に落下する様な仕組みにした自動式屋根雪おろし装置である。
【発明の効果】
【０００４】  上述したように足場の悪い屋根に登っての雪おろし作業から解放される。又、どんなに大量の積雪があっても、昼夜を問わず作動するので、少しずつおろしてゆき大量の雪の落下による事故の防止にもなる。
作業としては屋根の下に落ちて積もった雪の処理だけで良くなる。この作業は除雪機や重機でもできるので重労働から解放される。
【発明を実施するための最良の形態】
【０００５】  屋根に土台となる枠組１を据え付ける。枠組の脚部は伸縮自在にしておき屋根の勾配に対処できる様にしておく。もし勾配がゆるい屋根の場合は脚部の長さを調整して自然落下する角度（安息角４５度以上）にすることが望ましい。又、足元にはクッション材２を入れ屋根瓦への負担を少なくする。次に芯棒連結用突起３に回転ドラム４をはめ込む。そしてベルトコンベア５を取り付け芯棒６で連結する。ベルトコンベアとベルトコンベアの間は強度のある幅の細い鉄製横板７で覆う。又、積雪をある程度ため込むＣ型雪止め板８を取り付ける。
屋根の幅に合わせて必要な台数を据え付け、枠組と枠組そして左右の屋根の枠組どうしはボルト等でしっかり連結固定する。
【図面の簡単な説明】
【０００６】
【図１】自動式屋根雪おろし装置の取り付け外観図
【図２】枠組・クッション材・回転ドラムの組立て図
【図３】ベルトコンベア・芯棒の組立て図
【図４】鉄製横板の組立て図
【図５】Ｃ型雪止め板の組立て図
【符号の説明】
【０００７】        １  枠組
２  クッション材
３  芯棒連結用突起
４  回転ドラム
５  ベルトコンベア
６  芯棒
７  鉄製横板
８  Ｃ型雪止め板
【図１】
2007046429.tif 000003
【図２】
2007046429.tif 000004
【図３】
2007046429.tif 000005
【図４】
2007046429.tif 000006
【図５】
2007046429.tif 000007
(57)【要約】      （修正有）【課題】高波高潮雨による川の増水堤防の決壊などのおそれの有る箇所に本発明の固定治具を設置して置くまた仮設治具は緊急時現場にてワンタッチで設置可能従来の土俵の５０倍の早さで堤防を築く事が出来水害による損失を未然に防ぐ事が可能で有るまた本製品はコンクリトとちがって取り付け取りはづしが簡単に出来周囲の景観も損ねる事もない治具を提供する。【解決手段】｛１｝固定式治具は４Ｍ間隔で設置する部材は角パイプを使用する固定連結はボルト不用の金具とプレートを使用する｛２｝仮設治具は外枠と内枠の二重構造とし内枠をスライド式でピンで部材を固定する連結はボルト不用の金具やプレートを使用する治具の固定はベースにアンカ｛杭｝を打ち込み固定する｛３｝軽量型タンク式部材をスライド式のピンで固定するこの部材は持ち運びが簡単な軽量型であるがタンク式なので水位が上がると重量がまし水位が下がると軽くなる土がいらない土俵で有る。【選択図】図１
2007046430.tif 000002
【特許請求の範囲】
【請求項１】
固定式治具
｛１｝この治具は下治具と上治具の二重構造とし下治具ベースプレートに上治具及び部材角パイプを落としこむ連結は部材連結用固定金物プレイトにて固定するボルト不用で有る
【請求項２】
仮設治具
｛１｝枠を外枠と内枠の二重構造とし内枠をスライド式でピンで部材を固定する
｛２｝治具の固定は外枠と内枠の底板の固定用穴に杭を打ち込み治具を固定する
なをスライド式固定治具はアンカーボルトで固定しておく
【請求項３】
軽量型タンク式部材
｛１｝この部材は軽量角パイプ及びプラスチック製で片腹に穴を明けタンク式で有るこのタンク式部材は水位が上がると水の重みで重量が増し部材が安定し水位が下がると軽くなる土がいらない土俵で有る
｛２｝部材固定はスライド式仮設治具で固定する
【発明の詳細な説明】
【技術分野】
【０００１】本発明は台風の高波高潮や豪雨による急激な河川の水位の上昇に伴う水害防止に関する物で有る
［背景技術］【０００２】人力や機械にて土俵を作り堤防を築き水害を防止しているが最近の台風や雷雨などの豪雨による水害に立ち後れているように思う
［発明の開示］
［発明が解決しょうとする課題］【０００３】台風や雷雨などの大雨による急激な河川の水位の上昇に対して土俵による堤防を築いているが水位の上昇に対応が後れがちな現状を軽減し住民や土俵を作る作業者の安全及び水害防止が目的で有る本発明はこれらの問題点を解決する為になされた物で有る
［問題を解決するための手段］【０００４】固定治具の部品は鋼材を加工した物で有るこの治具は底板に上治具固定用ピンを取り付けたベースプレートを４Ｍ間隔にアンカーボルトで固定して置く緊急時部材固定用治具とともに落としこむ二重構造で有る組立方法は｛Ａー１｝｛Ａー２｝のベースプレートと上治具｛Ａー３｝｛Ａー４｝｛Ａー５｝｛Ａー６｝の部材を組み合わせた物で有る
仮設治具は外枠とスライド式の内枠にピンで部材を固定する又治具の固定は外枠と内枠の底板に杭を打ち込み固定する
［発明の効果］【０００５】本発明の治具を使用する事により早く堤防を築く事が出来住民及び作業者の安全や水害防止が可能で有り又従来の土俵の約場所にも寄るが５０倍から１００倍の早さで堤防を築く事が出来コンクリトとちがって取りはづしが出来周囲の景観を損ねる事なく計り知れない経済効果有り
［発明を実施するための最良の形態］【０００６】以下本発明の実施の形態を説明する
｛１｝部品は鋼材を加工した物で有る
｛２｝この固定治具はピンをベースプレイトに固定した下治具を４Ｍ間隔に地中にアンカーボルトで固定しておき緊急時上治具と部材を落としこむ又連結はプレイトを部材の固定用ボートに差し込み固定するボルト不要のワンタッチ式で有る仮設治具の構造は外枠と内枠の二重構造でピンを内枠に固定して置き部材を固定する内枠がスライド式で有る又連結はボルト不要のプレイトを部材の固定用ボートに差し込み固定するボルト不要
仮設治具の固定は外枠及び内枠の底板に杭を打ち込み固定する
軽量型タンク式部材はスライド式の治具で固定するこの部材は持ち運びが簡単な軽量型であるがタンク式なので水位が上がると重量がまし水位が下がると軽くなる土がいらない土俵で有る
【図面の簡単な説明】
【０００７】［図１］正面図
［図２］側面図
［図３］平面図
［図４］正面図
［図５］平面図
［図６］側面図
［図７］正面図
［図８］正面図
［図９］側面図
［図１０］正面図
［図１１］平面図
［図１２］平面図
［図１３］正面図
［図１４］正面図
［図１５］平面図
［図１６］正面図
【符号の説明】
【０００８】［Ａー１］部材固定治具設置基準部品
［Ａー２］上治具固定部品
［Ａー３］部材固定部品
［Ａー４］上治具補強部品
［Ａー５］治具固定部品
［Ａー６］ＦＬライン基準部品
［Ｂー１］治具固定外枠底板部品
［Ｂー２］内枠固定部品
［Ｂー３］外枠固定部品
［Ｂー４］内枠固定部品
［Ｂー５］外枠内枠連結部品
［Ｂー６］スライド及び内枠固定部品
［Ｂー７］内枠固定部品
［Ｂー８］ピン固定部品
Ｂー９］治具固定内枠底板部品
［Ｂー１０］部材固定部品
［Ｃー１］ＦＬライン基準部品
［Ｃー２］部材固定部品
［Ｄー１］治具及び部材固定部品
［Ｄー２］治具固定外枠底板部品
［Ｄー３］外枠固定基準部品
［Ｄー４］内枠固定部品
［Ｄー５］内枠固定部品
［Ｄー６］内枠固定部品
［Ｄー７］内枠補強部品
［Ｄー８］ピン固定部品
［Ｄー９］治具固定内枠底板部品
［Ｄー１０］部材固定部品
［Ｅー１］治具固定部品
［Ｅー２］ピン取合部品
［Ｅー３］治具補強部品
［Ｅー４］治具補強及びピン取合部品
［Ｅー５］ピン固定部品
［Ｅー６］ピンストッパ部品
［Ｅー７］部材固定部品
【図１】
2007046430.tif 000003
【図２】
2007046430.tif 000004
【図３】
2007046430.tif 000005
【図４】
2007046430.tif 000006
【図５】
2007046430.tif 000007
【図６】
2007046430.tif 000008
【図７】
2007046430.tif 000009
【図８】
2007046430.tif 000010
【図９】
2007046430.tif 000011
【図１０】
2007046430.tif 000012
【図１１】
2007046430.tif 000013
【図１２】
2007046430.tif 000014
【図１３】
2007046430.tif 000015
【図１４】
2007046430.tif 000016
【図１５】
2007046430.tif 000017
【図１６】
2007046430.tif 000018
(57)【要約】      （修正有）【課題】作業性及び安全性の良いカラーコーンを提供する。【解決手段】カラーコーンの頂頭部に頂頭部溝１及び頂頭部貫通穴２を設け、そこにトラロープ６等を通したり、はさんだりし、外れ・抜け防止策を施し簡単に設置使用出来るようにした。また、ロープ等収納口３を設け内部（空洞部）にロープ等を簡単に収納出来るようにした。【選択図】図１
2007046435.tif 000002
【特許請求の範囲】
【請求項１】
頂頭部にロープや紐、チェーン等を通す溝及び貫通穴を設けたことを特徴とするカラーコーン。
【請求項２】
ロープや紐・チェーン等をカラーコーンの内部（空洞部）に収納させる収納口及び、取外し可能な底を設けた事を特徴とするカラーコーン。
【請求項３】
頂頭部溝にロープや紐、チェーン等を通し、その通した物に対し、外れ・抜けを防止できる構造とした事を特徴とするカラーコーン。
【発明の詳細な説明】
【技術分野】
【０００１】  この発明は一般に言う安全用具のカラーコーンにおいて、その形状及び仕様に関する。
【背景技術】
【０００２】  従来、カラーコーンは、図−４に示す様に、工事現場や道路など立ち入り禁止場所などに置いて、コーンバーでの接続や、トラロープを頭部に結び接続などし、単に並べて使用していた。
【発明の開示】
【発明が解決しようとする課題】
【０００３】  しかしながら、以上の技術によれば、カラーコーンを使用する時はカラーコーンをコーンバーで接続し使用した場合、コーンバーの運搬や保管が面倒なことや、コーンバーの市場価格がカラーコーンより高いなどの理由で工事現場や道路などで使用している状況はカラーコーン＋コーンバーの使い方はあまり見あたらず、カラーコーンを単に並べて置いてあるだけの状況が多々有り、安全用具の要点を満たしていないのが現状である。そこで、この発明は、作業性及び安全性の良いカラーコーンを提供することを課題とする。
【課題を解決するための手段】
【０００４】  以上の課題を解決するために、第一発明は、頂頭部に溝及び貫通穴を設け、そこにロープや紐・チェーン等を通したり、はさんだりし簡単に設置使用出来ることを特徴とするカラーコーンである。
第二発明は、収納口及び底を設けカラーコーン内部の空洞部にロープや紐・チェーン等を簡単に収納できることを特徴とするカラーコーンである。
第三発明は頂頭部溝にロープ等を通した時、溝の底の広がり部分にロープを通し入れることで、その物の外れ、抜けを防止できる構造としたことを特徴とするカラーコーンである。
【発明の効果】
【０００５】  第一発明によれば、カラーコーンの設置接続の際、頂頭部の溝及び貫通穴にロープ（トラロープ等）を通したり、はさんだりし使用した場合、コーンバーを取付け接続し使用した場合と比べ
▲１▼  カラーコーンの設置間隔、配置が自由にできる。
▲２▼  棒状でなく、ロープ状のため軽いので作業が簡単で、しかも長距離の設置が容易である。
▲３▼  安価で経済的である。
第二発明によれば、カラーコーンの内部（空洞部）にロープや紐・チェーン等を簡単に収納することにより、作業及び保管場所の簡素化に寄与できる。
第三発明によれば、溝の底の広がり部分にロープを通し入れることで、ロープ等の外れ、抜けを防止できる。
【発明を実施するための最良の形態】
【０００６】この発明の一実施形態を図１、図２、図３に示す。
図１では、頂頭部溝１にトラロープ６をはさみ通してある、その溝の底部は横広がり構造になっている。頂頭部貫通穴２にトラロープが通してある。図２では、ロープ等収納口３よりカラーコーン４の内部（空洞部）にトラロープ６が収納されている。カラーコーン底部５に穴又は網状の水抜きが設けられている。図３では、頂頭部溝１の底の広がり部分にトラロープ６を通した状況を示す。【０００７】「実施形態の効果」
この実施形態によれば、カラーコーン頂頭部溝１は底部横広がり構造でロープ等の外れ防止策となり、より適確なカラーコーンによる安全用具となる。又、カラーコーン内部にロープ等を収納できる事で作業が容易にでき、用具の持ち運びも容易になる。【０００８】「他の実施形態」
図１の実施形態では、カラーコーン頂頭部に、たてに溝が、横方向に貫通穴が有るが、他の実施形態では、溝が横及び斜め方向、貫通穴が立て方向の物でも良い。
又、複数の溝・貫通穴がある物でも良い。
【図面の簡単な説明】
【０００９】
【図１】  本発明の一実施形態を示す斜視図である。
【図２】  本発明の一実施形態を示す断面図である。
【図３】  本発明の一実施形態を示す上から見た図である。
【図４】  従来技術を示す斜視図である。
【符号の説明】
【００１０】  １  頂頭部溝  ２  頂頭部貫通穴  ３  ロープ等収納口  ４  カラーコーン
５  カラーコーン底部  ６  トラロープ  ７  コーンバー
【図１】
2007046435.tif 000003
【図２】
2007046435.tif 000004
【図３】
2007046435.tif 000005
【図４】
2007046435.tif 000006
(57)【要約】【課題】  今までの養生の方法では、水処理パット等を使用するが、ビットが鉄筋などで、ぶれた時に削孔水が飛び散り、施工者自身や周囲を汚すため、養生シート等を使用し、広範囲に養生を行っていた。【解決手段】  今まで無かった、飛散防止リングを図４のように取り付け、使用することにより、削孔水の飛び散りが無くなり、養生シート等も、大幅に節約でき、作業効率も向上する。【選択図】  図１
2007046433.tif 000002
【特許請求の範囲】
【請求項１】
コア・ボーリングの削孔用チューブに当該リングを付け、削孔水が飛散するのを、防止するのを特徴とする、飛散防止リング。
【発明の詳細な説明】
【技術分野】
【０００１】  この発明は、水処理の仕組みや形状に関する。
【背景技術】
【０００２】  これまでは、ガムテープとビニールシートなどを使用して養生を行っていた。
【発明の開示】
【発明が解決しようとする課題】
【０００３】  しかしながら、これまでの養生では、飛散する範囲に、広く養生をしなければならず、又、作業施工者自身や、周辺を汚す事になる。
そこで、この発明は、ダイヤモンドビットのチューブに取り付けるだけで、削孔水が飛散するのを防ぐことを提供する事を課題とする。
【課題を解決するための手段】
【０００４】  以上の課題を解決するために収縮性がある、飛散防止の為のリングを簡単に装着できる、飛散防止リング装置である。
【発明の効果】
【０００５】  この発明により、養生を簡素化でき。周辺を汚すことなく、安価でスピーディーな作業ができる。
【発明を実施するための最良の形態】
【０００６】  この発明の一実施形態を、図１に示す。【０００７】「実施形態の効果」
この実施形態によって、チューブに取り付けが簡単にでき、作業がしやすい。【０００８】「他の実施形態」
図１の実施形態では、飛散防止リングのサイズを、各ダイヤモンドビットのサイズに合わせた、個々の製品であるが。
図２では、ゴムシートを円形に、切り取りが出来る様に、切込みを入れる。使用する際には、ダイヤモンドビットのサイズに、一番適した箇所のリングを、切り離し、実施形態に成った物を、使用することができる、飛散防止リングである。
図３の実施形態では、飛散防止リングの断面が、円であるが、他の実施形態では、（２）の楕円形や図２と（３）の四角形のリングでも良い。又、材質は、ゴムやシリコンやスプリングなど、伸縮性が有り、回転による摩滅に、耐えうる、硬質の物とする。
【図面の簡単な説明】
【０００９】
【図１】  この発明の一実施形態を示す、飛散防止リングの斜視図である。
【図２】  他の実施形態による、ゴムシート型にした、飛散防止リングの斜視図である。
【図３】  この発明の一実施形態の断面と他の実施形態の断面を示す、断面図である。
【図４】  この発明の一実施形態をダイヤモンドビットに飛散防止リングを取り付けた、斜視図である。
【符号の説明】
【００１０】  （１）  この発明の飛散防止リングの断面
（２）  他の実施形態の飛散防止リングの断面
（３）  他の実施形態の飛散防止リングの断面
【図１】
2007046433.tif 000003
【図２】
2007046433.tif 000004
【図３】
2007046433.tif 000005
【図４】
2007046433.tif 000006
(57)【要約】【課題】    椅子やベッドに座って長時間過ごす高齢者や身体障害者、受験生が椅子やベッドに腰掛けながら使用できる、場所を取らない移動式一人専用椅子コタツを提供する。【解決手段】  椅子やベッドに腰掛けながら使用できるように、コタツの脚部にキャスターを設け、簡単に前後・左右に移動を可能にすることを特徴とする、場所を取らない移動式一人専用椅子コタツ。【選択図】  図２
2007046883.tif 000002
【特許請求の範囲】
【請求項１】
椅子やベッドに腰掛けながら使用できるように、コタツの脚部にキャスターを設け、簡単に前後・左右に移動を可能にすることを特徴とする、場所を取らない移動式一人専用椅子コタツ。
【発明の詳細な説明】
【技術分野】
【０００１】  本発明は、椅子やベッドに腰掛けながら使用できる、場所を取らない移動式一人専用コタツに関するものである。
【背景技術】
【０００２】  従来、椅子用コタツ使用者は、コタツから移動するとき、椅子を後方にずらし移動していた。また、移動用キャスター付き椅子用コタツはなかった。
【特許文献１】
【発明の開示】
【発明が解決しょうとする課題】
【０００３】  そのために、次のような問題点があった。
（イ）    一般の椅子用コタツは、大勢の人が利用できるように設計されている為、重量も重く場所も多く取り、しばしば邪魔者扱いさていた。
（ロ）    移動用のキャスター付き椅子はあるが、移動用のキャスター付き椅子用コタツはなかった。
（ハ）    椅子用コタツから移動するとき、椅子を後方に移動しなければならず、不自然な身体の動かし方を余儀なくされていた。
（ニ）    椅子に座って長時間過ごす高齢者や身体障害者、受験生が勉強する時、他人に邪魔されずに使用できる、場所を取らない使用者専用の椅子用コタツはなかった。
発明は、以上の問題点を解決しようとするものである。
【課題を解決するための手段】
【０００４】  一人専用に設計された椅子用コタツの脚部に移動用のキャスターを設け、前後・左右に容易に移動できることを可能にする。以上を特徴とする移動式一人専用椅子コタツである。
【発明の効果】
【０００５】  本発明は、一人専用に設計された椅子用コタツの脚部に移動用のキャスターを設けてある為、椅子やベッドに腰掛けながら、椅子用コタツを前後・左右に移動させ使用する。またこの一人専用に設計された椅子用コタツは身体の前方にある為、手を支えにして足腰の弱った高齢者や障害者の椅子やベッドからの立ち上がりの補助の役目をする。また、構造も簡単であるため安価である。
【発明を実施するための最良の形態】
【０００６】  以下、本発明の実施の形態について説明する。
（イ）一人専用に設計された椅子用コタツの脚部（２）に移動用のキャスターを（３）を設ける。
（ロ）一人専用に設計された椅子用コタツの上部にヒーターユニット（４）を設ける。
本発明は以上のような構造で、椅子やベッドに座りながらこれを使用するときは、一人専用に設計された椅子専用コタツを手前に引き寄せ使用する事ができる。
【図面の簡単な説明】
【０００７】
【図１】本発明の斜視図である。
【図２】本発明の正面図である。
【図２】本発明の使用状態を示す斜視図である。
【符号の説明】
【０００８】１    天板部
２    脚部
３    移動用キャスター
４    ヒーターユニット
５    電源コード
６    椅子
７    掛け布団
【図１】
2007046883.tif 000003
【図２】
2007046883.tif 000004
【図３】
2007046883.tif 000005
【手続補正書】
【提出日】平成17年10月11日(2005.10.11)
【手続補正１】
【補正対象書類名】明細書
【補正対象項目名】０００７
【補正方法】変更
【補正の内容】
【０００７】
【図１】本発明の斜視図である。
【図２】本発明の正面図である。
【図３】使用状態を示す斜視図である。
(57)【要約】【課題】下着、特に運動中の発汗により肌に粘着する女性用のスポーツシャツの下に着用する下着の脱衣・着衣に際して、スポーツシャツを着ながらにして、限られた空間内もしくは場所を選ばず腕を大きく動かす必要なしに短時間に容易に行なえるようにする。【解決手段】このためこの発明の下着は前身頃と後身頃とからなり、両身頃が少なくとも一方の側縁において互いに分離しており、かつ該分離している側縁が上下端間で上下に延在してかつ１対の係合片からなる少なくとも１個の面ファスナーにより互いに着脱可能に係合している。【選択図】図１
2007046174.tif 000002
【特許請求の範囲】
【請求項１】
前身頃と後身頃とからなり、両身頃が少なくとも一方の側縁において互いに分離しており、かつ該分離している側縁が上下端間で上下に延在する少なくとも１個の面ファスナーにより互いに着脱可能に係合していることを特徴とする改良下着。
【発明の詳細な説明】
【技術分野】
【０００１】
この発明は改良下着に関するものであり、特に一般にスポーツシャツの下に着用する女性用下着の着衣・脱衣性の向上に関するものである。
【背景技術】
【０００２】
テニスなどのスポーツを女性が行なうに際しては、スポーツシャツの下に下着を着用しており、発汗の激しい人の場合、汗取り用にタンクトップなども併せて着用することもある。
【０００３】
ところでスポーツ中には発汗が激しいので、スポーツシャツや下着が着用者の肌に不快に粘着することや汗染みが目立つことが多く、しばしばスポーツシャツを交換する必要がある。冬期もさることながら、夏期には特にこの傾向がある。
【発明の開示】
【発明が解決しようとする課題】
【０００４】
このようなスポーツシャツの交換は、また、下着の脱衣は、女性の場合は人前でははばかられるので、更衣室もしくはトイレットの個室などで行なうことが多いが、移動には時間がかかる。また、この場合下着を頭の方から脱衣するが、そのためには腕を大きく広げて動かす必要があり、広さの限られた個室内では非常にやり難い。
【０００５】
しかも発汗により下着が肌にぴったりと粘着しているが故に、この脱衣動作は一段と困難である。
【０００６】
特に女性の場合、スポーツシャツに現れる汗染みを気にする傾向があり、着替えたくても時間と場所を要するため、手間がかかり、スポーツシャツの着替えに際してはわずらわしい点がある。
【０００７】
また、発汗後、従来の汗取り用のタンクトップのみを脱衣したい場合も、まずスポーツシャツは頭から脱がなければならず、その着脱動作のため替える必要のないスポーツシャツにしばしば不要に化粧品が付着する。
【０００８】
さらに、運動中に頻繁に着替えを行うことはわずらわしくもあり、また、それが困難な場合もある。
【０００９】
この発明の目的は、スポーツシャツを着たまま、かかる下着の着衣・脱衣性の改良および簡易性の向上にある。
【課題を解決するための手段】
【００１０】
このためこの発明の下着は、前身頃と後身頃とからなり、両身頃が少なくとも一方の側縁において互いに分離しており、かつ該分離している側縁が上下端間で上下に延在する少なくとも１個の面ファスナーにより互いに着脱可能に係合していることを要旨とするものである。
【発明の効果】
【００１１】
下着の脱衣に際しては、側縁における面ファスナーを引っ張って相互から分離するだけの動作で両身頃が一側縁において分離して開くので、容易に脱衣することができ、腕を大きく広げて動かす必要もない。また着衣に際しても、両身頃を身体に巻き付けて分離している側縁を対向させて面ファスナーを押圧するだけの動作で前身頃と後身頃と一側縁において係合して閉じるので、容易に着衣することができ、腕を大きく広げて動かす必要もない。
【００１２】
この改良下着を着用することにより、気になる汗染みを軽減し、汗を吸着させた下着は瞬時に脱衣ができる。よってスポーツシャツを頻繁に着替える必要性が軽減される。
【００１３】
夏期においては汗取り下着として汗を吸着させた後、時間と場所を要せず脱衣できる。冬期においては、一旦発汗した後、脱衣することにより冷えを防止するなど機能下着として効果を発揮する。
【００１４】
この発明において用いる面ファスナーとは１対の係合片からなり、これらの係合片は押圧により相互に係合するとともに、引っ張りにより相互から分離するものである。一般名としてはｓｅｐａｒａｂｌｅ  ｆａｓｔｅｎｎｅｒと呼ばれ、商品名としてはベルクロファスナーやマジックテープ（登録商標）などと呼ばれるものがある。
【００１５】
該面ファスナーを構成する１対の係合片は、一方の身頃側縁の表面と他方の身頃側縁の裏面とに、対応する上下位置でそれぞれ公知の方法で適宜添着されるものである。
【００１６】
またこの発明においては、側縁の全領域間に延在する１個の面ファスナーを用いてもよく、側縁の上下端間に点在して２個以上の面ファスナーを用いてもよい。
【００１７】
さらに両身頃は一側縁において互いに分離していれば所期の目的は果たすことができるが、両側縁において互いに分離した構造としてもよい。この場合には両身頃の両側縁に面ファスナーを配置する。
【実施例１】
【００１８】
図１に示すのはこの発明の下着に一実施例であって、側縁に１個の面ファスナーを使用したものである。図中には下着を開いた状態、つまり一方の側縁において一体に係合し、他方の側縁において分離している状態を、内側すなわち着用者の肌に触れる側を露出して示してある。
【００１９】
前身頃１の分離している側の側縁５の裏面（すなわち内側）には上下端間に延在して１個の面ファスナーの係合片７が添着されている。また後身頃３の分離している側縁５の表面（すなわち外側）には同面ファスナーの対応する係合片７が添着されている。
【００２０】
脱衣に際しては、両身頃が係合している側縁において前身頃１を後身頃３から引っ張れば、面ファスナーの表裏の係合片７が分離して、下着は開き容易に着用者の身体から除くことができる。
【００２１】
着衣に際しては、両身頃１、３を着用者の身体に巻き付けて、対向する側縁表裏の面ファスナー係合片７を互いに押圧すれば係合して下着は閉じる。
【産業上の利用可能性】
【００２２】
この発明は衣料業界において広く応用可能である。また、型状についても様々なバリエーションをもったデザインが可能であるため、機能面のみならず、ファッション性も期待できる。
【図面の簡単な説明】
【００２３】
【図１】この発明の下着の一実施例の展開図である。
【符号の説明】
【００２４】
１：  前身頃
３：  後身頃
５：  側縁
７：  面ファスナー係合片
【図１】
2007046174.tif 000003
(57)【要約】【課題】  従来はゴルフ用手袋とゴルフボールクリーナーは別々だった。したがって不便だった。それを１つにして便利にしようとした。【解決手段】  ゴルフ手袋（１）にクリーナー（２）マジックテープ（３）を取り付けた。【選択図】  図１
2007046169.tif 000002
【特許請求の範囲】
【請求項１】
ゴルフ手袋の甲の締め付けベルト部分にクリーナー、吸水性の良い汚れを落とすのに適した布地などを、直接取り付けた手袋。
【発明の詳細な説明】
【発明の詳細な説明】
この発明はゴルフ用手袋の甲に、吸水性の良い布地などを取り付けたものである。
従来、ゴルフプレイを行う場合は、キャディが付いて行うのが普通であるが、近年セルフプレイが多くなり、グリン上が早朝露で濡れていたり雨の日など、ゴルフボールの汚れを落とすのに、クリーナーが無いのでたいへん不便である、又従来の手袋は、皮や布の素材で出来ているが防水性を重要視するため、吸水性を必要とする汚れ落としには、適さなかつた。
本発明は、その不便を解消する為になされたものである。
それを図面について説明すれば、ゴルフ用手袋（１）に、クリーナー表は、吸水性の良い布地裏は、耐水性の素材（２）を取り付け、マジックテープ（３）で固定したものである。
本発明はこのような構造であるから、ゴルフプレイに使うのになんらさしつかえない。
【図面の簡単な説明】
【図１】本発明の斜視図である。
【符号の説明】
（１）手袋（２）クリーナー（３）マジックテープ
【図１】
2007046169.tif 000003
(57)【要約】【課題】  従来はゴルフ用手袋とゴルフボールクリーナーは別々だった。したがって不便だった。それを１つにして便利にしようとした。【解決手段】  ゴルフ手袋（１）に脱着可能な素材（２）を介してクリーナー（３）を取り付けた。【選択図】  図１
2007046168.tif 000002
【特許請求の範囲】
【請求項１】
マジックテープ又は、スナップを介してクリーナーを取り付けたゴルフ用手袋。
【発明の詳細な説明】
【発明の詳細な説明】
この発明はゴルフ用手袋の甲にマジックテープ又は、スナップなどを有した吸水性の良い布地などを取り付けたものである。
従来、ゴルフプレイを行う場合は、キャディが付いて行うのが普通であるが、近年セルフプレイが多くなり、グリン上が早朝露で濡れていたり雨の日など、ゴルフボールの汚れを落とすのに、大変不便である。
本発明は、その不便を解消する為になされたものである。
それを図面について説明すれば、ゴルフ用手袋（１）に脱着可能な素材、マジックテープ又はスナップ（２）を介して、吸水性が良く汚れ落としに適した素材のクリーナー（３）を取り付けたものである、
又取り外しが利くため、クリーナーの取替えが簡単である。
本発明はこのような構造であるから、ゴルフプレイに使うのになんらさしつかえない。
【図面の簡単な説明】
【図１】本発明の斜視図である。
【符号の説明】
（１）手袋（２）脱着可能な素材（３）クリーナー（４）ベルト。
【図１】
2007046168.tif 000003
(57)【要約】【課題】  水の流れの速い場所にも有効に使用することのできる水のうを提供する。【解決手段】  外袋２の内側に、吸水樹脂４を入れた内袋３が設けられ、この内袋３内には、鉄粒等を封入した重し袋５が入れられて構成されている。【選択図】  図１
2007046250.tif 000002
【特許請求の範囲】
【請求項１】
外袋の内側に、吸水樹脂を入れた内袋が設けられ、該内袋内には、重し袋が入れられていることを特徴とする水のう。
【請求項２】
前記重し袋内には、鉄粒が封入されてなることを特徴とする請求項１に記載の水のう。
【発明の詳細な説明】
【技術分野】
【０００１】
本発明は、浸水被害防止用等に用いることのできる水のうに関するものである。
【背景技術】
【０００２】
従来、特許文献１あるいは特許文献２に開示されているように、内部に吸水樹脂を入れた水のうが存在する。
【特許文献１】特開２００３−１２９４３９号公報
【特許文献２】特開２００４−０９２２２４号公報
【発明の開示】
【発明が解決しようとする課題】
【０００３】
従来の水のうでは、内部の吸水樹脂に水を吸水させて膨らませた状態で使用することができるものとなっているが、例えば水の流れの速い場所で使用するような場合には、水流で流されてしまい、水のうとしての役割を果たすことができない場合が生ずるという問題点があった。
【課題を解決するための手段】
【０００４】
本発明は上記従来の問題点に鑑み案出したものであって、水の流れの速い場所にも有効に使用することのできる水のうを提供するものであり、その請求項１は、外袋の内側に、吸水樹脂を入れた内袋が設けられ、該内袋内には、重し袋が入れられていることである。
【０００５】
また請求項２は、前記重し袋内には、鉄粒が封入されてなることである。
【発明の効果】
【０００６】
本発明の水のうは、外袋の内側に、吸水樹脂を入れた内袋が設けられ、該内袋内には、重し袋が入れられていることにより、内袋内の吸水樹脂に吸水させて膨らませて使用することができ、しかも内袋内には重し袋が入れられているため、水の流れの速い場所に設置して使用する場合にも、重し袋の作用で水の流れに対抗して移動することがなく、良好に浸水等を防止できるものとなる。
【０００７】
また、前記重し袋内には、鉄粒が封入されてなることにより、比重の重い鉄粒で重さを確保することができ、しかも鉄粒は安価であるため、水のう全体を安価なものとすることができる。
【実施例】
【０００８】
以下、本発明の実施例を図面に基づいて説明する。
図１は、水のうの分解斜視図であり、また図２は、膨らませて使用する状態の断面構成図である。
【０００９】
図において、水のう１は、外袋２と内袋３と重し袋５で構成されており、外袋２は縦６０ｃｍ、横４０ｃｍの麻袋で構成され、開口側から内部に内袋３を入れることができるものである。
内袋３は、通水性の不織布で構成されており、例えばポリエステル長繊維あるいはスパンポンドで袋状に形成されている。
この内袋３内には、約１７０ｇの吸水樹脂４が封入されており、ミシン目３ａで封止されている。
【００１０】
なお、吸水樹脂４は、粉状あるいは粒状のものであり、均一に内袋３内全体に分散されるように構成されている。
なお、吸水樹脂４は、例えば三洋化成工業株式会社製の超膨張高吸水性ポリマー等を使用することができ、吸水樹脂４は、水に漬けると水を吸水して約３分で１６ｋｇ程度の重さとなるように内袋３内に封入されている。
【００１１】
また、この吸水樹脂４とともに、内袋３内には重し袋５が封入されるものであり、この重し袋５内には、３ｍｍ以下の粒径の鉄粒６が約５００ｇ入れられている。
なお、鉄粒６は、外周に鋭利な凸部の存在しない角が丸いものが使用されている。
【００１２】
このように、内袋３内に吸水樹脂４と重し袋５を入れてミシン目３ａで封止させ、この内袋３を外袋２内に入れて、外袋２をミシン目２ａで封止して保管しておくことができ、使用する際には、全体を水に漬けると、吸水樹脂４が吸水して約３分で全体が１６ｋｇ程度の水のう１となり、この水のう１は、例えば家屋や店舗等の浸水を防ぐ際に用いることができ、また地下鉄や地下階段への流水防止にも用いることができ、道路の冠水時の水の迂回処理等に用いることができるものであり、土は不要であり、手で持ち易く扱い易いものである。
特に、水の流れの速い場所等で使用する場合には、内部に重し袋５が入っているために、水流に抗して移動することがなく、水の流れの速い場所に使用して水を堰き止めることができるものである。
【００１３】
なお、水のう１の吸水樹脂４に吸水させる際に、吸水樹脂４が吸水するとゲル状の状態となり、除々に内袋３内で膨張し、この膨張力により重し袋５が良好に図２のように中央部に配置されるのが確認されており、そのため、重し袋５は、内部で水のうの中央部に位置して、良好に重しの役割を果たすことができるものである。
【００１４】
水のう１は更には、マンホールや排水溝内に入れて、内部の水を吸水樹脂４に吸水させて排水溝内の除水等に用いることもでき、また、ゴルフ場や競技場等において、吸水させて良好に除水させるために用いることもできるものである。
更には、吸水させた状態で、火災現場等で積み上げて防火壁として延焼を防ぐために用いることもでき、火を通さないために良好な防火壁の役目を果たすことができるものである。
【００１５】
なお、水のう１は、吸水した状態で屋内等の陽の当たらない場所に保管して再使用することもできるが、直射日光にさらしておくと除々に水分が蒸発して、内部の水分を除くこともでき、更に、急速に内部の水分を除きたい場合には、塩化カルシウム水溶液の濃度１０〜２０％程度のものを注ぐと、吸水樹脂４に吸水されている水が外側に放出されて、急速に乾燥させることができるものとなる。
乾燥させた状態で保管しておくこともでき、また、乾燥後に焼却処理することもでき、焼却処理をする場合でも有害物質は発生しないものであり、環境に優しいものである。
【図面の簡単な説明】
【００１６】
【図１】水のうの構成部材の分解斜視図である。
【図２】水のうに吸水させて膨らませた状態の断面構成図である。
【符号の説明】
【００１７】
１  水のう
２  外袋
２ａ  ミシン目
３  内袋
３ａ  ミシン目
４  吸水樹脂
５  重し袋
６  鉄粒
【図１】
2007046250.tif 000003
【図２】
2007046250.tif 000004
(57)【要約】【課題】  測定者による誤差がなく、暗闇でも狭い場所でも確実に任意の角度を測定することができる角度測定器を提供する。【解決手段】  水平に対する角度を測定する角度測定器１を、直線台座２と、直線台座２に取り付けられた分度計３とで構成し、直線台座２は、下面に平面を有し、さらに、分度計３は、直線台座２の下面と垂直になるように設定されて回転支持軸４に回転自在に取り付けられ、一方側に傾斜角度を示す角度指示部７を有するとともに、他方側に垂直用重り８を設けた重り部９と、直線台座２の傾きに伴って回転移動する指示針５と、回転支持軸４に回転自在に取り付けられ、任意の角度の位置で静止可能な設定針６と、直線台座２が傾き、指示針５が設定針６の角度位置まで回転移動した際に閉路してアラームを発するアラーム発生回路とを備えて構成される。【選択図】        図１
2007046930.tif 000002
【特許請求の範囲】
【請求項１】
水平に対する角度を測定する角度測定器において、
直線台座と、前記直線台座に取り付けられた分度計とからなり、
前記直線台座は、下面に平面を形成し、
前記分度計は、
回転支持軸と、
前記直線台座の下面と垂直になるように設定されて前記回転支持軸に回転自在に取り付けられ、一方側に傾斜角度を示す角度指示部を有するとともに、他方側に垂直用重りを設けた重り部を有し、前記直線台座の傾きに伴って回転移動する指示針と、
前記回転支持軸に回転自在に取り付けられ、任意の角度の位置で静止可能な設定針と、
前記直線台座が傾き、前記指示針が設定針の角度位置まで回転移動した際に閉路してアラームを発するアラーム発生回路と、
を備えたことを特徴とする角度測定器。
【発明の詳細な説明】
【技術分野】
【０００１】
本発明は、一般建築などにおいて使用される、例えば水平器等の角度測定器に関するものである。
【背景技術】
【０００２】
従来より、水平器等の角度測定器は、一般的に気泡式や振り子式で構成されており、測定者が被測定物に角度測定器をあてて、目視で任意の角度になっているかどうかを測定している（例えば、特許文献１参照）。
【特許文献１】実用新案登録第３０３４７５１号公報
【発明の開示】
【発明が解決しようとする課題】
【０００３】
しかしながら、このような従来技術においては、次のような問題があった。
（１）測定者が目視で角度を測定するので、測定者の熟練度によって誤差が発生する。
（２）目視するため、ある程度の明るさと、測定者が角度測定器を覗き込むためのスペースが必要である。
本発明は、このような問題を解決するためになされたもので、測定者による誤差がなく、暗闇でも狭い場所でも確実に任意の角度を測定することができる角度測定器を提供することを目的とするものである。
【課題を解決するための手段】
【０００４】
上記課題を解決するため、本発明は、水平に対する角度を測定する角度測定器を、直線台座と、前記直線台座に取り付けられた分度計とで構成し、前記直線台座は、下面に平面を形成し、さらに、前記分度計は、前記直線台座の下面と垂直になるように設定されて前記回転支持軸に回転自在に取り付けられ、一方側に傾斜角度を示す角度指示部を有するとともに、他方側に垂直用重りを設けた重り部と、前記直線台座の傾きに伴って回転移動する指示針と、前記回転支持軸に回転自在に取り付けられ、任意の角度の位置で静止可能な設定針と、前記直線台座が傾き、前記指示針が設定針の角度位置まで回転移動した際に閉路してアラームを発するアラーム発生回路とを備えて構成したものである。
【発明の効果】
【０００５】
本発明によれば、次のような効果がある。
（１）直線台座が傾き、指示針が設定針の角度位置まで回転移動するとアラームを発するので、熟練度による測定誤差がなくなり、施工精度が向上する。
（２）測定者が目視する必要がないので、夜間などの暗闇でも測定が可能である。
また、角度測定器を被測定物に当てることができれば角度の測定が可能なので、広いスペースを必要としない。
【発明を実施するための最良の形態】
【０００６】
以下、本発明の実施例を図に基づいて説明する。
【実施例】
【０００７】
図１は、本発明の実施例における角度測定器を示す正面図である。
図１において、１は角度測定器で、直線台座２と、前記直線台座２に取り付けられた分度計３とからなっている。
前記直線台座２は、木、樹脂、あるいは金属で構成され、下面は平面になっている。
前記分度計３は、回転支持軸４と、指示針５と、設定針６と、図示しないアラーム発生回路とを備えている。
前記回転支持軸４は、前記指示針５と設定針６とを回転自在に取り付けている。
前記指示針５は、一方側に傾斜角度を示す角度指示部７を有するとともに、他方側に垂直用重り８を設けた重り部９を有し、前記直線台座２の下面と垂直に設定されている。前記指示針５は、前記直線台座２の傾きに伴って回転移動をする。
前記設定針６は、前記回転支持軸に回転自在に取り付けられるが、前記指示針５のように直線台座２の傾きに応じて回転移動することはない。任意の角度の位置で静止が可能となっている。
前記分度計３内には、前記直線台座２が傾き、前記指示針５が設定針６の角度位置まで回転移動した際に、つまり指示針５と設定針６とが重なったときに、閉路してアラームを発するアラーム発生回路が内臓されている。
このような構成において、角度測定器１の使用は次のようにして行う。
まず、測定者の正面にある被測定物の傾斜角度を、ある値、例えば時計回りに３０度に傾くように設定しようとする場合、まず、図１に示すように、測定者が設定針６を、回転支持軸４を中心にして時計回りに３０度回転移動させる。設定針６は、この位置で静止する。
前記設定針６の角度設定が完了すると、次に、直線台座２を被測定物の直線部分にあてる。この状態で被測定物を徐々に傾けていく。
被測定物を傾けていっても、指示針５は垂直用重り８があるので、常に垂直方向を向いている。相対的に前記指示針５を回転支持している回転支持軸４が直線台座２とともに回転して、前記指示針５が被測定物の傾き角度を指し示す。
被測定物を傾けていき、前記指示針５が前記設定針６と重なり、角度測定器１からアラームが発せられたらその状態を維持し、それ以上傾けるのを止める。その傾き角度が、設定した時計回りに３０度の傾き角度となる。
【図面の簡単な説明】
【０００８】
【図１】本発明の実施例における角度測定器を示す正面図である。
【符号の説明】
【０００９】
１    角度測定器
２    直線台座
３    分度計
４    回転支持軸
５    指示針
６    設定針
７    角度指示部
８    垂直用重り
９    重り部
【図１】
2007046930.tif 000003